(57)【要約】【課題】所望の条件を満たすグラフを確実かつ容易に特定可能に測定結果表示用画面を表示させる。【解決手段】測定データに基づいて測定結果表示用画面１０を表示部５に表示させるための表示用データを生成するデータ生成部を備え、データ生成部が、表示用データとして、周波数（測定対象成分）を矢印Ａ１の方向に対応させると共に周波数のレベルを矢印Ａ２の方向に対応させて各周波数についての測定されたレベルをグラフＧａ〜Ｇｈによって表示する複数のスペクトル表示用フレーム１１ａ〜１１ｈを矢印Ａ３の方向にずらして測定順に重ねて表示させるためのフレーム表示用データを生成すると共に、各フレーム１１ａ〜１１ｈのグラフＧａ〜Ｇｈにおいて指定された指定条件を満たすレベルの表示部位に例えば着目点表示１５を表示させてグラフＧａ〜Ｇｈにおいて指定条件を満たさないレベルの表示部位と区別して表示させるための区別用データを生成する。【選択図】図２
2011027583.tif 000002
【特許請求の範囲】
【請求項１】
取得した測定データに基づいて測定結果表示用画面を表示部に表示させるための表示用データを生成するデータ生成部を備えた表示用データ生成装置であって、
前記データ生成部は、前記表示用データとして、測定対象成分を第１方向に対応させると共に当該測定対象成分のレベルを当該第１方向と交差する第２方向に対応させて当該各測定対象成分についての測定されたレベルをグラフによって表示する複数の測定結果表示用フレームを第３方向にずらして測定順およびその逆順のいずれかの順に重ねて表示させるためのフレーム表示用データを生成すると共に、所定の条件が指定されたときに、前記各測定結果表示用フレームの前記グラフにおいて当該指定された指定条件を満たすレベルの表示部位を当該グラフにおいて当該指定条件を満たさないレベルの表示部位と区別して前記表示部に表示させるための区別用データを生成する表示用データ生成装置。
【請求項２】
請求項１記載の表示用データ生成装置と、前記表示用データに基づく前記測定結果表示用画面を前記表示部に表示させる表示制御部とを備えた測定結果表示装置であって、
前記表示制御部は、前記区別用データに基づく区別用表示を前記測定結果表示用フレームにおける前記グラフに重ねて前記測定結果表示用画面内に表示させる測定結果表示装置。
【請求項３】
前記データ生成部は、前記指定条件を満たすレベルが測定された前記測定対象成分、および当該指定条件を満たすレベルの値を、当該指定条件を満たすレベルが存在する前記測定結果表示用フレームを特定可能な情報に関連付けて表示する情報画面を前記表示部に表示させるための情報画面表示用データを生成し、
前記表示制御部は、前記情報画面表示用データに基づく前記情報画面を前記測定結果表示用フレームと共に前記測定結果表示用画面内に表示させる請求項２記載の測定結果表示装置。
【請求項４】
前記表示制御部は、前記指定条件を満たすレベルが存在する前記測定結果表示用フレームを特定可能に表示させる請求項２または３記載の測定結果表示装置。
【請求項５】
前記表示制御部は、前記指定条件を満たすレベルが存在する前記測定結果表示用フレームを前記測定結果表示用画面内に表示させた状態において当該指定条件を満たすレベルが存在しない前記測定結果表示用フレームを非表示とする請求項４記載の測定結果表示装置。
【請求項６】
前記データ生成部は、前記いずれかの順に重ねて表示させた前記各測定結果表示用フレームとは別個に前記指定条件を満たすレベルが存在する前記測定結果表示用フレームだけを並べて前記測定結果表示用画面内に表示させる請求項２から４のいずれかに記載の測定結果表示装置。
【請求項７】
取得した測定データに基づいて測定結果表示用画面を表示部に表示させるための表示用データを生成して当該測定結果表示用画面を当該表示部に表示させる測定結果表示方法であって、
前記表示用データとして、測定対象成分を第１方向に対応させると共に当該測定対象成分のレベルを当該第１方向と交差する第２方向に対応させて当該各測定対象成分についての測定されたレベルをグラフによって表示する複数の測定結果表示用フレームを第３方向にずらして測定順およびその逆順のいずれかの順に重ねて表示させるためのフレーム表示用データを生成すると共に、所定の条件が指定されたときに、前記各測定結果表示用フレームの前記グラフにおいて当該指定された指定条件を満たすレベルの表示部位を当該グラフにおいて当該指定条件を満たさないレベルの表示部位と区別して前記表示部に表示させるための区別用データを生成し、当該区別用データに基づく区別用表示を前記測定結果表示用フレームにおける前記グラフに重ねて前記測定結果表示用画面内に表示させる測定結果表示方法。
【発明の詳細な説明】
【技術分野】
【０００１】
本発明は、測定データに基づいて測定結果表示用画面を表示させるための表示用データを生成する表示用データ生成装置、表示用データに基づいて測定結果表示用画面を表示部に表示させる測定結果表示装置および測定結果表示方法に関するものである。
【背景技術】
【０００２】
例えば特開２００５−２１４７７７号公報には、分析対象のアナログ信号についての周波数スペクトルを表示可能に構成された周波数スペクトル分析装置（以下、単に「分析装置」ともいう）が開示されている。この分析装置による周波数スペクトルの表示に際しては、まず、Ａ／Ｄ変換部が、信号処理部によって信号処理されたアナログ信号をデジタルデータに変換して演算制御部に出力する。これに応じて、演算制御部が、出力されたデジタルデータに対する所定の演算処理を実行してパワースペクトルを求めると共に、その結果（スペクトル波形）を表示部に表示させるための表示用データ（「スペクトルの画像」のデータ）を生成する。また、演算制御部は、生成した表示用データを表示部に出力することにより、測定結果表示用の画面を表示させる。
【０００３】
この場合、この分析装置では、測定結果表示用画面を表示させるための表示用データとして、演算処理によって求めたスペクトルにおける周波数を画面左右方向に対応させると共に各周波数のレベルを画面上下方向に対応させて各周波数毎のピークパワー（測定されたレベル）をスペクトル波形として測定結果表示用画面内に表示させるデータを生成する構成が採用されている。また、この分析装置では、演算制御部による上記の演算処理時に時間窓をずらすことによって、分析対象のアナログ信号について所定時間間隔で複数回に亘って周波数スペクトルを求め、求めた各周波数スペクトルの各スペクトル波形を表示部に切り替えて表示可能に構成されている。
【先行技術文献】
【特許文献】
【０００４】
【特許文献１】特開２００５−２１４７７７号公報（第４−７頁、第３−５図）
【発明の概要】
【発明が解決しようとする課題】
【０００５】
しかしながら、従来の分析装置には、以下の問題点が存在する。すなわち、従来の分析装置では、所定時間間隔で複数回に亘って求めた各周波数スペクトルの各スペクトル波形を表示部に切り替えて表示可能に構成されている。この場合、この種の装置の使用形態として、所定時間間隔で求めた各波数スペクトルのうち、所定の条件を満たす周波数スペクトルに着目して信号を分析するといった使用形態がある。具体的には、一例として、所定時間間隔で求めた各周波数スペクトルのうち、任意の周波数帯域において規定レベルを超えるレベルが測定された周波数スペクトルのスペクトル波形に基づいて分析対象のアナログ信号を分析することがある。このような使用形態に関し、従来の分析装置では、一例として、上記の「任意の周波数帯域」に着目しつつ、各周波数スペクトルのスペクトル波形を順次切り替えて表示させ、着目している周波数帯域において規定レベルを超えているスペクトル波形が表示されたときに、そのスペクトル波形に基づいてアナログ信号を分析することが可能となっている。しかしながら、従来の分析装置では、所望のスペクトル波形を表示させるための画面切替え操作が煩雑であるという問題点が存在する。
【０００６】
このような問題点を解決すべく、出願人は、入力信号についての周波数スペクトルを所定時間間隔で測定すると共に、測定した各スペクトルを表す複数のグラフ（上記の「スペクトル波形」に対応する）を表示画面内において所定量ずつずらして測定順に重ねて表示させる測定結果表示装置を開発している。具体的には、出願人が開発している測定結果表示装置では、図７に示すように、周波数（この例では、１０ｋＨｚ〜４０ｋＨｚ）を画面左右方向（矢印Ａ１の方向）に対応させると共に、周波数のレベル（この例では、−１３０ｄＢ〜−３０ｄＢ）を画面上下方向（矢印Ａ２の方向）に対応させて、各周波数についての測定されたレベルをグラフＧａ〜Ｇｈによって表示するスペクトル表示用フレーム１１ａ〜１１ｈ（以下、単に「フレーム１１ａ〜１１ｈ」ともいう）を、矢印Ａ１，Ａ２と交差する左下がりの斜め方向（矢印Ａ３の方向）にずらして測定順に重ねて表示させる測定結果表示用画面１０ｘを表示可能に構成されている。この出願人が開発している測定結果表示装置によれば、煩雑な切替え操作を行うことなく、測定順に並んで表示されたフレーム１１ａ〜１１ｈ内の各グラフＧａ〜Ｇｈ（以下、区別しないときには、「フレーム１１」、「グラフＧ」ともいう）を参照することができる。
【０００７】
この場合、出願人が開発している測定結果表示装置における測定結果表示用画面１０ｘにおいて（では）、最も手前のフレーム１１ａでは、周波数やレベルとフレーム１１ａ内の各座標との関係を示すグリッド表示や文字情報（この例では、「１０ｋＨｚ」、「４０ｋＨＺ」、「−１３０ｄＢ」および「−３０ｄＢ」との文字情報）が存在するため、このフレーム１１ａに表示されているグラフＧａについては、例えば、「２２．５ｋＨｚ以上２７．５ｋＨｚ以下の範囲内において−１１０ｄＢ以上の値が測定されたもの」との条件を満たしているか否かを容易に特定することができる。しかしながら、各フレーム１１ｂ〜１１ｈにおいては、グリッド表示や文字情報が存在しないだけでなく、手前のフレーム１１に対して右上にずれて表示されているため、不慣れな利用者にとっては、グラフＧｂ〜Ｇｈが上記の条件を満たしているか否かを直感的に認識するのが困難となっている。このため、出願人が開発している測定結果表示装置では、不慣れな利用者にとっては、所定の条件を満たすグラフＧを特定するのが依然として困難となっており、この点を改善するのが好ましい。
【０００８】
本発明は、かかる改善すべき課題に鑑みてなされたものであり、所望の条件を満たすグラフを確実かつ容易に特定可能に測定結果表示用画面を表示し得る表示用データ生成装置、測定結果表示装置および測定結果表示方法を提供することを主目的とする。
【課題を解決するための手段】
【０００９】
上記目的を達成すべく、請求項１記載の表示用データ生成装置は、取得した測定データに基づいて測定結果表示用画面を表示部に表示させるための表示用データを生成するデータ生成部を備えた表示用データ生成装置であって、前記データ生成部が、前記表示用データとして、測定対象成分を第１方向に対応させると共に当該測定対象成分のレベルを当該第１方向と交差する第２方向に対応させて当該各測定対象成分についての測定されたレベルをグラフによって表示する複数の測定結果表示用フレームを第３方向にずらして測定順およびその逆順のいずれかの順に重ねて表示させるためのフレーム表示用データを生成すると共に、所定の条件が指定されたときに、前記各測定結果表示用フレームの前記グラフにおいて当該指定された指定条件を満たすレベルの表示部位を当該グラフにおいて当該指定条件を満たさないレベルの表示部位と区別して前記表示部に表示させるための区別用データを生成する。
【００１０】
請求項２記載の測定結果表示装置は、請求項１記載の表示用データ生成装置と、前記表示用データに基づく前記測定結果表示用画面を前記表示部に表示させる表示制御部とを備えた測定結果表示装置であって、前記表示制御部が、前記区別用データに基づく区別用表示を前記測定結果表示用フレームにおける前記グラフに重ねて前記測定結果表示用画面内に表示させる。
【００１１】
請求項３記載の測定結果表示装置は、請求項２記載の測定結果表示装置において、前記データ生成部が、前記指定条件を満たすレベルが測定された前記測定対象成分、および当該指定条件を満たすレベルの値を、当該指定条件を満たすレベルが存在する前記測定結果表示用フレームを特定可能な情報に関連付けて表示する情報画面を前記表示部に表示させるための情報画面表示用データを生成し、前記表示制御部が、前記情報画面表示用データに基づく前記情報画面を前記測定結果表示用フレームと共に前記測定結果表示用画面内に表示させる。
【００１２】
請求項４記載の測定結果表示装置は、請求項２または３記載の測定結果表示装置において、前記表示制御部が、前記指定条件を満たすレベルが存在する前記測定結果表示用フレームを特定可能に表示させる。
【００１３】
請求項５記載の測定結果表示装置は、請求項４記載の測定結果表示装置において、前記表示制御部が、前記指定条件を満たすレベルが存在する前記測定結果表示用フレームを前記測定結果表示用画面内に表示させた状態において当該指定条件を満たすレベルが存在しない前記測定結果表示用フレームを非表示とする。
【００１４】
請求項６記載の測定結果表示装置は、請求項２から４のいずれかに記載の測定結果表示装置において、前記データ生成部が、前記いずれかの順に重ねて表示させた前記各測定結果表示用フレームとは別個に前記指定条件を満たすレベルが存在する前記測定結果表示用フレームだけを並べて前記測定結果表示用画面内に表示させる。
【００１５】
請求項７記載の測定結果表示方法は、取得した測定データに基づいて測定結果表示用画面を表示部に表示させるための表示用データを生成して当該測定結果表示用画面を当該表示部に表示させる測定結果表示方法であって、前記表示用データとして、測定対象成分を第１方向に対応させると共に当該測定対象成分のレベルを当該第１方向と交差する第２方向に対応させて当該各測定対象成分についての測定されたレベルをグラフによって表示する複数の測定結果表示用フレームを第３方向にずらして測定順およびその逆順のいずれかの順に重ねて表示させるためのフレーム表示用データを生成すると共に、所定の条件が指定されたときに、前記各測定結果表示用フレームの前記グラフにおいて当該指定された指定条件を満たすレベルの表示部位を当該グラフにおいて当該指定条件を満たさないレベルの表示部位と区別して前記表示部に表示させるための区別用データを生成し、当該区別用データに基づく区別用表示を前記測定結果表示用フレームにおける前記グラフに重ねて前記測定結果表示用画面内に表示させる。
【発明の効果】
【００１６】
請求項１記載の表示用データ生成装置によれば、データ生成部が、複数の測定結果表示用フレームを第３方向にずらして測定順およびその逆順のいずれかの順に重ねて表示させるためのフレーム表示用データを生成すると共に、所定の条件が指定されたときに、各測定結果表示用フレームのグラフにおいて指定された指定条件を満たすレベルの表示部位をグラフにおいて指定条件を満たさないレベルの表示部位と区別して表示部に表示させるための区別用データを生成することにより、煩雑な画面切替え操作を行うことなく、不慣れな利用者であっても、所望の条件（指定条件）を満たすグラフを確実かつ容易に特定することができるように測定結果表示用画面を表示部に表示させることができる。
【００１７】
また、請求項２記載の測定結果表示装置、および請求項７記載の測定結果表示方法によれば、区別用データに基づく区別用表示を測定結果表示用フレームにおけるグラフに重ねて測定結果表示用画面内に表示させることにより、グラフにおいて所望の条件（指定条件）を満たすレベルに対応する部位を確実に特定することができる。
【００１８】
さらに、請求項３記載の測定結果表示装置によれば、データ生成部が、指定条件を満たすレベルが測定された測定対象成分、および指定条件を満たすレベルの値を、指定条件を満たすレベルが存在する測定結果表示用フレームを特定可能な情報に関連付けて表示する情報画面を表示させるための情報画面表示用データを生成し、表示制御部が、情報画面表示用データに基づく情報画面を測定結果表示用フレームと共に測定結果表示用画面内に表示させることにより、単に、所望の条件（指定条件）を満たすレベルに対応する部位を特定するだけでなく、どのような測定対象成分において、どのようなレベルの測定値が測定されたかを確実かつ容易に把握することができる。
【００１９】
また、請求項４記載の測定結果表示装置によれば、表示制御部が、指定条件を満たすレベルが存在する測定結果表示用フレームを特定可能に表示させることにより、所望の条件（指定条件）を満たすグラフを一層確実に特定することができる。
【００２０】
さらに、請求項５記載の測定結果表示装置によれば、表示制御部が、指定条件を満たすレベルが存在する測定結果表示用フレームを測定結果表示用画面内に表示させた状態において指定条件を満たすレベルが存在しない測定結果表示用フレームを非表示とすることにより、所望の条件（指定条件）を満たすグラフをさらに確実に特定することができる。
【００２１】
また、請求項６記載の測定結果表示装置によれば、データ生成部が、上記のいずれかの順に重ねて表示させた各測定結果表示用フレームとは別個に指定条件を満たすレベルが存在する測定結果表示用フレームだけを並べて測定結果表示用画面内に表示させることにより、所望の条件（指定条件）を満たすグラフに基づいて測定データを容易に分析することができる。
【図面の簡単な説明】
【００２２】
【図１】測定結果表示装置１のブロック図である。
【図２】測定結果表示用画面１０の表示画面図である。
【図３】図２に示す測定結果表示用画面１０内に着目点情報表示用画面１６を表示させた状態の表示画面図である。
【図４】図３に示す測定結果表示用画面１０においてフレーム１１ｂ，１１ｄ，１１ｅ内のグラフＧｂ，Ｇｄ，Ｇｅを強調表示させた状態の表示画面図である。
【図５】図４に示す測定結果表示用画面１０においてフレーム１１ｂ，１１ｄ，１１ｅに表示させていたグラフＧｂ，Ｇｄ，Ｇｅをフレーム１１ａ〜１１ｃ内にグラフＧａ〜Ｇｃとして表示させると共に、図４に示す測定結果表示用画面１０においてフレーム１１ａ，１１ｃ，１１ｆ〜１１ｈに表示させていたグラフＧａ，Ｇｃ，Ｇｆ〜Ｇｈを非表示とした状態の表示画面図である。
【図６】測定結果表示用画面１０Ａの表示画面図である。
【図７】測定結果表示用画面１０ｘの表示画面図である。
【発明を実施するための形態】
【００２３】
以下、添付図面を参照して、表示用データ生成装置、測定結果表示装置および測定結果表示方法の実施の形態について説明する。
【００２４】
図１に示す測定結果表示装置１は、入力信号Ｓｉについての周波数スペクトルを測定して表示するスペクトルアナライザであって、測定部２、メモリ３、操作部４、表示部５および制御部６を備えて構成されている。測定部２は、入力信号Ｓｉを増幅するアンプや、アンプによって増幅された信号をデジタル変換するＡ／Ｄコンバータ等（図示せず）を備え、制御部６の制御に従って入力信号Ｓｉを所定時間間隔でサンプリングすることによって測定データＤ１を生成して出力する。メモリ３は、上記の測定データＤ１や、制御部６の演算結果（後述する測定データＤ２等）を記憶する。この場合、メモリ３には、一例として、測定部２から順次出力される測定データＤ１を先入れ先出し法で記憶するリングバッファ形式の複数の記憶領域が規定されている。
【００２５】
操作部４は、測定結果表示装置１の動作条件を設定するための各種の操作スイッチや、後述するスケール表示１３およびカーソル表示１４（図２参照）を移動させるための操作スイッチを備え、スイッチ操作に応じた操作信号Ｓ１を制御部６に出力する。表示部５は、カラー液晶表示パネルを備えて構成され、制御部６の制御に従って、図２〜５に示す測定結果表示用画面１０や、図６に示す測定結果表示用画面１０Ａなどを表示する。制御部６は、一例として、ＦＰＧＡ（Field Programmable Gate Array ）およびＣＰＵを備えて構成され、測定部２から出力された測定データＤ１をメモリ３に順次記憶させると共に、記憶させた測定データＤ１に対する所定の演算処理（一例として、高速フーリエ変換等）を実行することにより、入力信号Ｓｉについての所定時間毎の周波数スペクトルを演算して測定データＤ２を生成する。
【００２６】
また、制御部６は、データ生成部として機能して、上記の測定データＤ２（「取得した測定データ」の一例）に基づいて、測定結果表示用画面１０，１０Ａなどを表示部５に表示させるための表示用データＤ３を生成する。また、制御部６は、表示制御部として機能して、生成した表示用データＤ３を表示部５に出力することによって測定結果表示用画面１０，１０Ａなどを表示させる。
【００２７】
この場合、測定結果表示用画面１０，１０Ａは、制御部６によって演算された周波数スペクトルを測定順に表示するための表示画面であって、出願人が開発している測定結果表示装置における測定結果表示用画面１０ｘと同様にして、複数のスペクトル表示用フレーム１１ａ〜１１ｈ（「測定結果表示用フレーム」の一例：以下、単に「フレーム１１ａ〜１１ｈ」ともいう。また、これらを区別しないときには「フレーム１１」ともいう）が左下がりの斜め方向（矢印Ａ３の方向）に所定量ずつずれながら重なって表示されている。なお、同図では、測定結果表示用画面１０，１０Ａの画面構成についての理解を容易とするために、フレーム１１ａ〜１１ｈの８フレームだけを図示しているが、この測定結果表示装置１では、利用者の目的に応じてさらに多数のフレーム１１（一例として、１０〜２００フレーム）を測定結果表示用画面１０，１０Ａ内に表示させることが可能となっている。
【００２８】
この場合、この測定結果表示装置１では、周波数（「測定対象成分」の一例：この例では、１０ｋＨｚ〜４０ｋＨｚ）を画面左右方向（矢印Ａ１の方向：「第１方向」の一例）に対応させると共に、周波数のレベル（「ｄＢ」）を画面上下方向（矢印Ａ２の方向：「第１方向と交差する第２方向」の一例）に対応させて、各周波数についての「測定されたレベル（周波数スペクトル）」をグラフＧａ〜Ｇｈ（以下、区別しないときには「グラフＧ」ともいう）によって測定結果表示用画面１０内に表示させる構成が採用されている。また、この測定結果表示装置１では、各フレーム１１を左下がり方向（矢印Ａ３の方向：「第３方向」の一例）にずらして測定順に重ねて（一例として、最新の測定結果に近い測定結果のフレーム１１ほど左下に位置するように、右上から左下に向かう向きで重ねて）三次元的に表示させるように測定結果表示用画面１０を表示させる構成が採用されている。なお、最新の測定結果に近い測定結果のフレーム１１ほど右上に位置するように、左下から右上に向かう向きで測定順の逆順で重ねて各フレーム１１を表示させる構成を採用することもできる。
【００２９】
さらに、この測定結果表示装置１では、各フレーム１１のうちの指定したフレーム（この例では、最も手前のフレーム１１ａ）において所望の周波数を指定するためのスケール表示１３およびカーソル表示１４をフレーム１１に重ねて測定結果表示用画面１０内に表示させる構成が採用されている。この場合、この測定結果表示装置１では、上記の「指定したフレーム１１」においてスケール表示１３を画面左右方向（第１方向）に移動させることによって所望の周波数（「測定対象成分」の一例）を指定することが可能となっている。また、この測定結果表示装置１では、カーソル表示１４が、スケール表示１３の移動に伴って、指定されたフレーム１１（フレーム１１ａ）に表示されているグラフＧ（グラフＧａ）とスケール表示１３との交差位置に移動して表示される構成が採用されている。また、この測定結果表示装置１では、フレーム１１におけるカーソル表示１４の座標に対応する周波数およびレベルが測定値表示領域１２内に表示される構成が採用されている。
【００３０】
また、この測定結果表示装置１では、後述するようにして、利用者によって所定の着目条件（「所定の条件」の一例）が指定されたときに、指定された着目条件（「指定された指定条件」の一例）を満たす測定値が存在するフレーム１１のグラフＧに着目点表示１５（「区別用表示」の一例）を重ねて表示させると共に、着目条件を満たす測定値に関する情報を表示するための着目点情報表示用画面１６（情報画面の一例：図３参照）を測定結果表示用画面１０内に表示させる構成が採用されている。
【００３１】
この測定結果表示装置１の使用に際しては、まず、操作部４を操作して測定結果表示装置１の動作条件（測定条件）を設定する。具体的には、一例として、入力信号Ｓｉについての１０ｋＨｚ〜４０ｋＨｚの範囲内の各周波数のスペクトルを測定して、その測定結果（この例では、−１３０ｄＢ〜−３０ｄＢの範囲内のうちのいずれのレベルであるか）を各フレーム１１にグラフＧによって表示させるように設定する。この際には、一例として、各フレーム１１の描画間隔（「第３方向」に対応する各フレーム１１の測定時間間隔）を１ｍｓに設定する。次いで、操作部４の開始スイッチを操作することにより、制御部６による周波数スペクトルの表示処理（測定結果表示用画面１０の表示処理）が開始される。具体的には、操作部４から処理開始を指示する操作信号Ｓ１が出力されたときに、制御部６は、測定部２を制御して測定処理を開始させる。これに応じて、測定部２は、入力信号Ｓｉをデジタル変換すると共に、変換したデジタル信号について１ｍｓでサンプリングして測定データＤ１を生成し、生成した測定データＤ１を制御部６に出力する。
【００３２】
また、制御部６は、測定部２から出力された測定データＤ１をメモリ３に順次記憶させる。さらに、制御部６は、上記の測定データＤ１のメモリ３への記憶処理と並行して、測定データＤ１に基づく周波数スペクトルの演算処理を実行する。具体的には、制御部６は、メモリ３に記憶させた測定データＤ１を読み出して所定の演算処理（高速フーリエ変換等）を実行することにより、その測定データＤ１に基づく周波数スペクトルを演算して測定データＤ２を生成し、生成した測定データＤ２をメモリ３に記憶させる。なお、測定部２によってデジタル変換された測定データＤ１に基づく周波数スペクトルの演算方法は公知のため、その詳細な説明を省略する。また、制御部６は、上記の一連の処理と並行して、演算結果（測定結果：測定対象の入力信号Ｓｉについての周波数スペクトル）を表示させるための表示用データＤ３を生成して表示部５出力することにより、図２に示すように、測定結果表示用画面１０を表示部５に表示させる。
【００３３】
具体的には、制御部６は、まず、最初の測定データＤ２に基づく周波数スペクトルをフレーム１１ａにグラフＧａとして表示させるためのフレーム表示用データを表示用データＤ３として生成して表示部５に出力する。この場合、最初の測定データＤ２に基づいて生成された表示用データＤ３が表示部５に出力された時点においては、フレーム１１ａ（グラフＧａ）だけが測定結果表示用画面１０内に表示されると共に、フレーム１１ｂ〜１１ｃは非表示の状態となっている。また、制御部６は、２番目の測定データＤ２（最初の測定データＤ２の１ｍｓ後に生成された測定データＤ２）に基づく周波数スペクトルを表示させる際には、フレーム１１ａに表示させていた最初の測定データＤ２に基づくグラフＧａをグラフＧｂとしてフレーム１１ｂに表示させると共に、２番目の測定データＤ２に基づく周波数スペクトルをフレーム１１ａにグラフＧａとして表示させるためのフレーム表示用データを表示用データＤ３として生成して表示部５に出力する。
【００３４】
さらに、制御部６は、３番目の測定データＤ２に基づく周波数スペクトルを表示させる際には、フレーム１１ｂに表示させていた最初の測定データＤ２に基づくグラフＧｂをグラフＧｃとしてフレーム１１ｃに表示させ、かつ、フレーム１１ａに表示させていた２番目の測定データＤ２に基づくグラフＧａをグラフＧｂとしてフレーム１１ｂに表示させると共に、３番目の測定データＤ２に基づく周波数スペクトルをフレーム１１ａにグラフＧａとして表示させるためのフレーム表示用データを表示用データＤ３として生成して表示部５に出力する。このように、この測定結果表示装置１では、制御部６によって新たな測定データＤ２が生成されてこの測定データＤ２基づくグラフＧを表示させる度に、それ以前に各フレーム１１に表示させていたグラフＧを１つ右上に位置するフレーム１１に移動させて表示させると共に、最新の測定データＤ２に基づく周波数スペクトルを最も手前のフレーム１１ａ内にグラフＧａとして表示させるように表示用データＤ３（フレーム表示用データ）を生成して、この表示用データＤ３を表示部５に出力することによって、最新の測定データＤ２に基づくグラフＧを最も手前のフレーム１１ａ内に表示させる構成が採用されている。
【００３５】
したがって、この例では、測定結果表示用画面１０内にフレーム１１ａ〜１１ｈの８フレームだけが存在するため、最初の測定データＤ２に基づく周波数スペクトルがグラフＧａとしてフレーム１１ａに表示された時点から８ｍｓが経過した時点において、この測定データＤ２に基づく周波数スペクトルが非表示となって、フレーム１１ｈには、２番目の測定データＤ２に基づくグラフＧｈが表示された状態となる。つまり、この測定結果表示装置１では、一連の測定処理と並行して測定結果をリアルタイムで表示させる際に、最新の８ｍｓ分の周波数スペクトルだけが測定結果表示用画面１０内に表示されることとなる。この後、制御部６は、設定された測定条件に従って一連の測定処理を実行し、測定処理の終了条件が満たされたときに（例えば、終了時刻が到来したときに）、測定処理を終了する。これにより、メモリ３内には、一連の測定処理によって生成された多数の測定データＤ２が記憶された状態となる。
【００３６】
一方、この測定結果表示装置１では、一連の測定処理によってメモリ３内に記憶させた各測定データＤ２について任意の着目条件を指定することによって、上記の各フレーム１１内のグラフＧにおいて着目条件を満たす測定値の表示部位を、着目条件を満たさない測定値の表示部位と区別して測定結果表示用画面１０内に表示させることが可能となっている。具体的には、操作部４の操作スイッチを操作することにより、一例として、「２２．５ｋＨｚ以上２７．５ｋＨｚ以下の範囲内において、−１１０ｄＢ以上の値が測定されたもの」との条件を設定する。これに応じて、制御部６は、メモリ３内の各すべての測定データＤ２を対象として、指定された着目条件を満たす測定値が存在するか否かを判別する。なお、実際には、上記の一連の測定処理が完了した時点において数百から数万個の測定データＤ２がメモリ３内に記憶された状態となっているが、測定結果表示装置１の動作原理についての理解を容易とするために、以下、８個の測定データＤ２がメモリ３内に記憶されているものとして説明する。
【００３７】
この際に、着目条件を満たす測定値を含む測定データＤ２が存在するときには、制御部６は、着目条件を満たすレベルが測定された周波数（一例として、着目条件を満たすレベルのうちのピークレベルの周波数）、およびその値を、対応する測定データＤ２に関連付けた情報（以下、「着目条件合致データ」ともいう）をメモリ３に記憶させる。また、制御部６は、前述した一連の測定処理と並行して測定結果表示用画面１０を表示させたときの処理と同様にして、メモリ３内の測定データＤ２に基づき、フレーム１１ａ〜１１ｈ（グラフＧａ〜Ｇｈ）を測定結果表示用画面１０内に表示させるためのフレーム表示用データを生成する。さらに、制御部６は、上記の着目条件合致データに基づき、着目条件を満たすレベルが測定された測定データＤ２のグラフＧにおいて着目条件を満たす部位（一例として、着目条件を満たすレベルのうちのピークレベル）に着目点表示１５（「区別用表示」の一例：図２参照）を表示させるための着目点表示用データ（「区別用データ」の一例）を生成する。
【００３８】
次いで、制御部６は、生成したフレーム表示用データおよび着目点表示用データに基づき、測定結果表示用画面１０を表示させるための表示用データＤ３を生成して表示部５に出力する。これにより、図２に示すように、各フレーム１１のグラフＧにおいて着目条件を満たすレベルの表示部位に着目点表示１５が重なって表示され、各グラフＧにおいて着目条件を満たすレベルの表示部位が各グラフにおいて着目条件を満たさないレベルの表示部位と区別されて測定結果表示用画面１０内に表示される。この場合、同図に示す例では、グラフＧｅ，Ｇｄ，Ｇｂの３つに着目点表示１５が重なって表示されているため、このグラフＧｅ，Ｇｄ，Ｇｂに対応する３つの測定データＤ２には、着目条件を満たす測定値が存在すると直感的に認識させることができる。
【００３９】
これに対して、グラフＧｇについては、上記のグラフＧｅ，Ｇｄ，Ｇｂにおいて着目点表示１５が重なって表示されている部位の近傍において測定されたレベルが高くなっているが、このグラフＧｇには着目点表示１５が表示されていないため、このグラフＧｇに対応する測定データＤ２には、着目条件を満たす測定値が存在しないと理解することができる。また、グラフＧｈ，Ｇｆの２つについては、上記のグラフＧｅ，Ｇｄ，Ｇｂにおいて着目点表示１５が重なって表示されている部位の近傍において測定されたレベルがやや高くなっているが、このグラフＧｈ，Ｇｆには着目点表示１５が表示されていないため、このグラフＧｈ，Ｇｆに対応する測定データＤ２には、着目条件を満たす測定値が存在しないと理解することができる。
【００４０】
一方、この測定結果表示装置１では、上記の着目点表示１５が表示されているグラフＧについての詳細な情報を測定結果表示用画面１０，１０Ａ内に表示させることが可能となっている。具体的には、操作部４を操作することにより、図３に示すように、着目点情報表示用画面１６を測定結果表示用画面１０内に表示させる。この着目点情報表示用画面１６は、情報画面の一例であって、前述した着目条件合致データに基づいて制御部６が情報画面表示用データを生成し、この情報画面表示用データと、前述したフレーム表示用データおよび着目点表示用データとに基づいて表示用データＤ３が生成されて表示部５に出力されることで測定結果表示用画面１０内に表示される。この場合、同図に示す例では、「２５．０ｋＨｚ」、「２５．１ｋＨｚ」および「２７．５ｋＨｚ」との文字情報が「着目条件を満たすレベルが測定された測定対象成分（この例では、周波数）」に相当し、「−９３．２ｄＢ」、「−９７．１ｄＢ」および「−１０２．４ｄＢ」との文字情報が「着目条件を満たすレベルの値（この例では、ピークレベルの値）」に相当し、「＊．＊ｍｓ」との文字情報（実際には、対応するグラフＧについての測定処理が実施された時点を、測定処理の開始時点からの経過時点で表す文字情報が表示される）が、「着目条件を満たすレベルが存在する測定結果表示用フレームを特定可能な情報」に相当する。
【００４１】
また、この測定結果表示装置１では、上記の着目点表示１５が重なって表示されているグラフＧ（着目条件を満たす測定値が存在する測定データＤ２に対応するグラフＧ）を他のグラフＧ（着目条件を満たす測定値が存在しない測定データＤ２に対応するグラフＧ）と容易に区別可能に表示させることが可能となっている。具体的には、一例として、操作部４を操作することにより、図４に示すように、着目点表示１５が表示されているグラフＧを強調表示させる。なお、同図では、強調表示の一例として、フレーム１１ｅ，１１ｄ，１１ｂのグラフＧｅ，Ｇｄ，Ｇｂを他のフレーム１１のグラフＧよりも太い線で描画した例を図示しているが、このような強調表示に変えて、着目点表示１５が重なって表示されているグラフＧの表示色を他のグラフＧの表示色とは相違させて表示させる構成や、着目点表示１５が重なって表示されているグラフＧを点滅表示させる構成を採用することもできる。
【００４２】
さらに、この測定結果表示装置１では、上記の強調表示を実行しているか否かを問わず、図５に示すように、着目条件を満たすレベルが存在するフレーム１１（グラフＧ）を測定結果表示用画面１０内に表示させた状態において、着目条件を満たすレベルが存在しないフレーム１１（グラフＧ）を非表示とすることが可能となっている。この場合、制御部６は、一例として、図２〜４においてフレーム１１ｂに表示させていたグラフＧｂをフレーム１１ａにグラフＧａとして表示させ、図２〜４においてフレーム１１ｄに表示させていたグラフＧｄをフレーム１１ｂにグラフＧｂとして表示させ、図２〜４においてフレーム１１ｅに表示させていたグラフＧｅをフレーム１１ｃにグラフＧｃとして表示させるようにフレーム表示用データを生成する。この場合、フレーム１１ｂ，１１ｄ，１１ｅにグラフＧｂ，Ｇｄ，Ｇｅを表示させたままの状態で、フレーム１１ａ，１１ｃ，１１ｆ，１１ｇ，１１ｈのグラフＧａ，Ｇｃ，Ｇｆ，Ｇｇ，Ｇｈを非表示とするようにフレーム表示用データを生成する構成（着目条件を満たすレベルが存在するフレーム１１（グラフＧ）の表示位置を変更しない構成）を採用することもできる。
【００４３】
また、この測定結果表示装置１では、上記の測定結果表示用画面１０に代えて、図６に示す測定結果表示用画面１０Ａを表示部５に表示させることができるように構成されている。なお、この測定結果表示用画面１０Ａにおいて前述した測定結果表示用画面１０と同様の表示要素については、同一の符号を付して重複する説明を省略する。この測定結果表示用画面１０Ａでは、上記の測定結果表示用画面１０において測定順に重ねて表示させていたフレーム１１ａ〜１１ｈ（グラフＧａ〜Ｇｈ）に加えて、着目条件を満たすレベルが存在するフレーム１１のグラフＧ（各フレーム１１のグラフＧにおいて着目点表示１５を重ねて表示させたグラフＧ）だけを、フレーム１１ａ〜１１ｈ（グラフＧａ〜Ｇｈ）とは別個にスペクトル表示用フレーム２１ａ，２１ｂ・・（以下、単に「フレーム２１ａ，２１ｂ・・」ともいう。また、これらを区別しないときには「フレーム２１」ともいう）内にグラフＧ１，Ｇ２・・（以下、区別しないときには「グラフＧ」ともいう）として表示させる構成（「着目条件を満たすレベルが存在する測定結果表示用フレームだけを並べて測定結果表示用画面内に表示させる構成」の一例）が採用されている。
【００４４】
この場合、前述したように着目条件を満たすレベルが存在する測定結果表示用フレームが３つ存在するときに、この測定結果表示装置１では、これらの測定結果表示用フレームを特定可能にフレーム２１ａ〜２１ｃの３つを上下方向に並べて表示させ、一例として、下方に向かって測定順でフレーム２１ａ〜２１ｃ内にグラフＧ１〜Ｇ３を表示させる構成が採用されている。したがって、この例では、フレーム１１ｅのグラフＧｅに対応してフレーム２１ｃにグラフＧ３が表示され、フレーム１１ｄのグラフＧｄに対応してフレーム２１ｂにグラフＧ２が表示され、フレーム１１ｂのグラフＧｂに対応してフレーム２１ａにグラフＧ１が表示されている。また、この測定結果表示用画面１０Ａでは、前述した「指定された着目条件」として指定した周波数の範囲を示す指定範囲表示２２（同図において左下がりの斜め線で塗り潰した表示）と、「指定された着目条件」として指定したレベルを示す指定レベル表示２３とが上記の各フレーム２１に重なって表示される。これにより、どのような着目条件が指定されて（設定されて）着目点表示１５や着目点情報表示用画面１６が表示されているかを直感的に認識させることが可能となっている。
【００４５】
このように、この測定結果表示装置１によれば、制御部６が、表示用データＤ３として、複数のスペクトル表示用フレーム１１を第３方向（図２〜６における矢印Ａ３の方向）にずらして測定順に重ねて表示させるためのフレーム表示用データを生成すると共に、所定の着目条件が指定されたときに、各フレーム１１のグラフＧにおいて着目条件を満たすレベルの表示部位をグラフＧにおいて着目条件を満たさないレベルの表示部位と区別して表示部５に表示させるための着目点表示用データ（区別用データ）を生成することにより、煩雑な画面切替え操作を行うことなく、不慣れな利用者であっても、所望の条件（着目条件）を満たすグラフＧを確実かつ容易に特定することができるように測定結果表示用画面１０を表示部５に表示させることができる。
【００４６】
また、この測定結果表示装置１、および測定結果表示装置１による測定結果表示方法によれば、着目点表示用データ（区別用データ）に基づく着目点表示１５をフレーム１１におけるグラフＧに重ねて測定結果表示用画面１０内に表示させることにより、グラフＧにおいて所望の条件（着目条件）を満たすレベルに対応する部位を確実に特定することができる。
【００４７】
さらに、この測定結果表示装置１、および測定結果表示装置１による測定結果表示方法によれば、制御部６が、着目条件を満たすレベルが測定された周波数（測定対象成分）、および着目条件を満たすレベルの値を、着目条件を満たすレベルが存在するフレーム１１を特定可能な情報（この例では、測定開始からの経過時間）に関連付けて表示する着目点情報表示用画面１６を表示させるための着目点情報表示用画面表示用データを生成すると共に、生成した着目点情報表示用画面表示用データに基づく着目点情報表示用画面１６をフレーム１１と共に測定結果表示用画面１０内に表示させることにより、単に、所望の条件（着目条件）を満たすレベルに対応する部位を特定するだけでなく、どのような周波数において、どのような値（レベル）の測定値が測定されたかを確実かつ容易に把握することができる。
【００４８】
また、この測定結果表示装置１、および測定結果表示装置１による測定結果表示方法によれば、表示制御部が、着目条件を満たすレベルが存在するフレーム１１を特定可能に表示させる（例えば、着目条件を満たすレベルが存在するフレーム１１のグラフＧを強調表示させる）ことにより、所望の条件（着目条件）を満たすグラフＧを一層確実に特定することができる。
【００４９】
さらに、この測定結果表示装置１、および測定結果表示装置１による測定結果表示方法によれば、表示制御部が、着目条件を満たすレベルが存在するフレーム１１を測定結果表示用画面１０内に表示させた状態において着目条件を満たすレベルが存在しないフレーム１１を非表示とすることにより、所望の条件（着目条件）を満たすグラフＧをさらに確実に特定することができる。
【００５０】
また、この測定結果表示装置１、および測定結果表示装置１による測定結果表示方法によれば、制御部６が、測定順に重ねて表示させた各フレーム１１とは別個に着目条件を満たすレベルが存在するフレーム１１だけを並べてスペクトル表示用フレーム２１ａ〜２１ｃとして測定結果表示用画面１０Ａ内に表示させることにより、所望の条件（着目条件）を満たすグラフＧに基づいて測定データＤ２を容易に分析することができる。
【００５１】
なお、上記の測定結果表示装置１では、グラフの一例として、グラフＧａ〜Ｇｈのような折れ線グラフを測定結果表示用画面１０，１０Ａ内に表示させる構成を採用しているが、折れ線グラフに代えて各成分（周波数）毎のレベルを示す棒グラフを表示させるように表示用データＤ３を生成する構成を採用することもできる。また、指定条件は、「所定の測定対象成分（例えば周波数）の範囲において、所定レベル以上の値が測定されたもの」との条件だけでなく、「所定の測定対象成分（例えば周波数）の範囲において、所定レベル以下の値が測定されたもの」との条件、「所定の測定対象成分（例えば周波数）の範囲における各値の極大値（または、極小値）」との条件、および「所定の測定時間内に測定された値のうちの上位ｎ個（ｎは、任意の自然数）の最大値（または、最小値）」との条件などの各種の条件がこれに含まれる。
【００５２】
さらに、着目点表示は、上記の着目点表示１５のような○印に限定されず、着目点表示１５に代えて、任意の各種表示（マーク）を表示させる構成を採用することができる。また、表示部５を備えて表示用データＤ３に基づく測定結果表示用画面１０，１０Ａを表示可能に構成された測定結果表示装置１を例に挙げて説明したが、表示用データＤ３を生成する装置（表示用データ生成装置）と、表示用データＤ３に基づいて測定結果表示用画面１０，１０Ａを表示させる表示装置とを別個独立して構成することもできる。
【符号の説明】
【００５３】
１  測定結果表示装置
５  表示部
６  制御部
１０，１０Ａ  測定結果表示用画面
１１ａ〜１１ｈ，２１ａ〜２１ｃ  スペクトル表示用フレーム
１５  着目点表示
１６  着目点情報表示用画面
Ｄ１，Ｄ２  測定データ
Ｄ３  表示用データ
Ｇ１〜Ｇ３，Ｇａ〜Ｇｈ  グラフ
【図１】
2011027583.tif 000003
【図２】
2011027583.tif 000004
【図３】
2011027583.tif 000005
【図４】
2011027583.tif 000006
【図５】
2011027583.tif 000007
【図６】
2011027583.tif 000008
【図７】
2011027583.tif 000009